(57)【要約】【課題】  画像処理装置において、記録媒体の記録可能容量に上限があるため、記録可能容量が不足すると新しい画像データを記録することができなくなるという問題と、記録媒体で重要な画像データを容易に整理することが困難であるという課題を解決する。【解決手段】  画像処理装置において、画像データに対して重要度を設定する。設定された重要度を最大送信回数に変換する。そして、画像データの送信回数が最大転送回数に達したときに、整理動作を行うことで記録媒体を整理する。こうすることで、重要度の低い画像データから整理されるため課題を解決できる。【選択図】  図１３
2009141735.tif 000002
【特許請求の範囲】
【請求項１】
画像データを記録媒体に記録させる記録手段と、
前記画像データについて、外部機器への送信回数を判定する判定手段と、
前記判定手段により送信回数が所定の回数に達したと判定された場合、前記記録媒体に記録された当該画像に対して所定の処理を実行する実行手段と
を有することを特徴とする画像処理装置。
【請求項２】
前記画像処理装置は、
記録媒体に記録された前記画像データに付帯された重要度を抽出する抽出手段と、
前記重要度から他の記録媒体への最大送信回数を算出する算出手段とを更に有し、
前記実行手段は、
当該送信回数が前記最大送信回数に達したときに、所定の処理を実行することを特徴とする請求項１記載の画像処理装置。
【請求項３】
前記所定の処理は、画像データを削除する処理であることを特徴とする請求項１或いは請求項２記載の画像処理装置。
【請求項４】
前記所定の処理は、画像データの主画像のみを削除する処理であることを特徴とする請求項１或いは請求項２記載の画像処理装置。
【請求項５】
送信回数が所定回数に達したときに実行される所定の処理を設定する設定手段を更に有することを特徴とする請求項１乃至請求項４のいずれか１項に記載の画像処理装置。
【請求項６】
前記所定の処理を実行する前に表示確認する確認手段を更に有することを特徴とする請求項１乃至請求項５のいずれか１項に記載の画像処理装置。
【請求項７】
前記確認手段は、前記所定の処理を実行する画像データの一覧を表示して確認させることを特徴とする請求項６に記載の画像処理装置。
【請求項８】
画像データを記録媒体に記録させる記録工程と、
前記画像データについて、外部機器への送信回数を判定する判定工程と、
前記判定工程により送信回数が所定の回数に達したと判定された場合、前記記録媒体に記録された当該画像に対して所定の処理を実行する実行工程と
を有することを特徴とする画像処理装置の制御方法。
【請求項９】
コンピュータに、
画像データを記録媒体に記録させる記録手段と、前記画像データについて、外部機器への送信回数を判定する判定手段と、前記判定手段により送信回数が所定の回数に達したと判定された場合、前記記録媒体に記録された当該画像に対して所定の処理を実行する実行手段として機能させるためのプログラム。
【発明の詳細な説明】
【技術分野】
【０００１】
本発明は、画像データを送信する画像処理装置及びその制御方法に関する。
【背景技術】
【０００２】
従来、静止画像や動画像（以下、画像データ）をメモリカードなどの記録媒体に記録する電子カメラが知られており、また、カラー液晶パネル等の電子ファインダーを備える等の画像処理装置が既に販売されている。これらの画像処理装置では、電子的に画像データを消去したり、移動したりして、メモリカードの内容を管理することが可能である。管理方法として、画像データに付加された電子的な情報を抽出し、該情報に基づいて一括処理することで、大量の画像を容易に管理することが可能である（特許文献１参照）。また、メモリカードに記録された画像データを情報処理装置でやりとりする機会が多くなってきている。
【特許文献１】特開２００２−３６９１２０
【発明の開示】
【発明が解決しようとする課題】
【０００３】
このような従来の電子カメラ等の画像処理装置においては、記録媒体の記録可能容量に上限があるため、記録可能容量が不足すると新しい画像データを記録することができなくなるという問題があった。また、記録媒体の大容量化に伴い、記録されている画像データの中から、任意の画像データを抽出して整理することに大きな時間を要することが問題であった。一方、一括処理することで整理することも可能であり、確認表示をすることで重要な画像データを保護することが可能であった。
【０００４】
しかしながら、すべての画像が同様に扱われるため、重要でない画像データに対しても確認表示が行われることにより、一括処理の確認表示が手間となっていた。
【課題を解決するための手段】
【０００５】
上記課題を解決するために、本発明は、画像データを記録媒体に記録させる記録制御手段と、前記画像データについて、外部機器への送信回数を判定する判定手段と、前記判定手段により送信回数が所定の回数に達したと判定された場合、前記記録媒体に記録された当該画像に対して所定の処理を実行する実行手段とを有することを特徴とする画像処理装置を提供する。
【発明の効果】
【０００６】
記録媒体に記録された画像データを外部機器へ送信する際に、該記録媒体に記録された画像データに対して所定の処理を実行して記録媒体の空容量を増やすことが可能となる。
【発明を実施するための最良の形態】
【０００７】
（第１の実施形態）
以下、図面を参照して本発明の一実施形態を説明する。
【０００８】
図１は、本発明を適用した電子カメラの構成を示すブロック図である。
【０００９】
図１において、１００は画像処理装置である。１０１は撮像回路であり、撮影して静止画像及び或いは動画像（以下、画像データ）を生成する。１０２は制御回路であり、メモリ１０８に格納されたプログラムを実行したり、表示部１０３に画像データ或いは操作メニューを表示する。また、制御回路１０２は、通信Ｉ／Ｆ１０４を利用して外部のストレージやパソコンに画像データを送信したり、記録Ｉ／Ｆ１０６を利用して記録媒体１０７に画像データを記録したりする。
【００１０】
１０３は表示部であり、画像データ或いは操作メニュー或いは画像データの付帯情報などを表示する。１０４は通信Ｉ／Ｆであり、外部のストレージやパソコンなどと接続するためのインタフェースである。このインタフェースは有線の場合もあれば、無線の場合もある。１０６は記録Ｉ／Ｆであり、記録媒体１０７へのデータ入出力を提供する。１０７は記録媒体であり、メモリカードなどであり、着脱の可否はとくに問わない。１０８はメモリであり、プログラムや設定情報などが書き込まれる不揮発性のメモリである。１０９は電源スイッチであり、電源スイッチ１０９を操作することにより、画像処理装置１００を起動及び終了することが可能である。
【００１１】
図２は、本発明を適用した画像処理装置を利用した画像データの送受信システムのブロック図である。
【００１２】
図２において、１００は画像処理装置であり、記録媒体１０７から画像データを読み出して、通信Ｉ／Ｆ１０４を介して、外部のパソコン（コンピュータ）２１０或いは電子カメラ２２０或いはストレージ２３０に送信する。２１０はパソコンであり、通信Ｉ／Ｆ２１１から受信した画像データを記録媒体２１２に記録する。２２０は電子カメラであり、通信Ｉ／Ｆ２２１から受信した画像データを記録媒体２２２に記録する。２３０はストレージであり、通信Ｉ／Ｆ２３１から受信した画像データを記録媒体２３２に記録する。
【００１３】
図３は、図１で示した画像処理装置１００の外観の一部及び操作部１０５の一部及び表示部１０３の一部を示したブロック図である。
【００１４】
画像処理装置１００は、表示部１０３と操作部１０５に接続した操作部材１０５ａ、１０５ｂ、１０５ｃ、１０５ｄ、１０５ｅ、１０５ｆ及び１０５ｇを有する。１０３は表示部で、画像データ或いは操作メニューを表示する。１０５ａ、１０５ｂは操作部材であり、操作メニューの選択項目を左右に変更する場合などに用いる。１０５ｃ、１０５ｄは操作部材であり、操作メニューの選択項目を上下に変更する場合などに用いる。１０５ｅは操作部材であり、操作メニューの表示及び画像データの表示などの表示部１０３に表示するモードの変更を行う。１０５ｆは操作部材であり、操作メニューで選択された項目を実行する場合などに用いる。１０５ｇは、画像処理装置１００の動作モードを変更する操作部材である。本実施形態では、画像を撮影する撮影モードと記録媒体１０７に格納された画像データを再生する再生モードを切り替えられる。
【００１５】
図４は、図３で示した表示部１０３に操作メニューを表示する実施形態を示す図である。
【００１６】
３１０は操作メニューであり、削除３１１と送信メニュー３１２と重要度設定３１３がある。３１１は削除メニューであり、記録媒体１０７に記録された画像データを削除する操作を起動するメニューである。３１２は送信メニューであり、記録媒体１０７に記録された画像データから選択して送信する操作である。３１３は重要度設定であり、記録媒体１０７に記録されたそれぞれの画像データに重要度情報を設定する。
【００１７】
この操作メニューにおいて、送信メニュー３１２の色を反転して表示しているが、これは送信３１２が選択されていることを表している。送信メニュー３１２が選択されているときに、図３の操作部材１０５ｆを操作すると選択された送信メニュー３１２が実行される。
【００１８】
図５は、図４で示した重要度設定３１３を実行した際の表示部１０３を示す図である。
【００１９】
表示部１０３には、記録媒体１０７に記録された任意の画像４０１を全体に表示及び左上に重要度を表示する領域４０２及び現在の重要度４０５及び操作補助のための表示４０３、４０４を表示する。４０１は、記録媒体１０７に記録された任意の画像である。この画像は、操作部材１０５ａ或いは１０５ｂを操作することにより変更が可能である。４０２は、画像４０１に設定されている重要度を表示する領域である。４０３及び４０４は、重要度を設定の操作補助を表示する表示部材である。４０３は、操作部材１０５ｄを操作することで、重要度を下げられることを示している。４０４は、操作部材１０５ｃを操作することで、重要度を上げられることを示している。４０５は、画像４０１の現在の重要度であり、“重要度２”のように重要度と設定値である数字で表現している。
【００２０】
本実施形態では、重要度の設定値は０から３まで設定できるが、重要度の設定値が０のときは、「なし」と表現している。なお、重要度は０から３までと限定されるものではなく、もっと多くの値を設定できるようにしても良い。また、本実施形態は“重要度２”のように表現しているが、記号の数やバーグラフなどの図式的な形式を用いて表現しても良い。ここで設定された重要度は、操作部材１０５ａ或いは１０５ｂを操作されることにより、画像４０１の変更が発生する及び操作部材１０５ｅで操作モードを変更されるときに画像に付加される。
【００２１】
図６は、図４で示した送信メニュー３１２を実行した際の表示部１０３を示す図である。
【００２２】
３１２は送信メニューであり、画像選択送信３１６及び全画像送信３１７及び整理動作設定メニュー３１８及び確認動作設定メニュー３１９がある。３１６は、画像選択送信メニューで、記録媒体１０７に記録された画像データから選択して送信する操作である。３１７は、全画像送信メニューで、記録媒体１０７に記録された画像データをすべて送信する操作である。３１８は、整理動作設定メニューで、記録媒体１０７に記録された画像データの送信回数が所定回数になったときに実行される操作を設定する。３１９は、確認動作設定メニューで、記録媒体１０７に記録された画像データの送信回数が所定回数になったときに操作が実行されるファイルに対して確認する動作を重要度に対応して決定する。
【００２３】
図７は、図６で示した整理動作設定メニュー３１８を実行した際の表示部１０３を示す図である。
【００２４】
３１８は整理動作設定メニューであり、何もしない３２１及び削除３２２及び主画像のみ削除３２３がある。３２１は、何もしない設定であり、画像データの送信回数が所定回数になったときの、送信後に画像データに何もしない設定である。３２２は、削除設定であり、画像データの送信回数が所定回数になったときの、送信後に画像データを削除する設定である。３２３は、画像データの送信回数が所定回数になったときに、送信後の画像データから主画像のみ抜き出して削除する。画像データがサムネイル画像や画像撮影情報などを持つ場合には、主画像以外のサムネイル画像や画像撮影情報が記録媒体１０７に記録されたままとなる。一方、主画像しか持たない画像データに対して主画像のみ削除を実行すると、すべてが削除される。
【００２５】
図８は、図６で示した確認動作設定メニュー３１９を実行した際の表示部１０３を示す図である。
【００２６】
３１９は、確認動作設定メニューでメニュー名とともに、重要度選択していることを表示しており、“重要度３“３２６、”重要度２”３２７、“重要度１”３２８、“なし”３２９がある。３２６は、重要度が“重要度３“である画像に対しての送信回数が所定回数になったときの整理動作実行前の確認動作を設定するメニューを起動する。３２７は、重要度が“重要度２“である画像に対しての送信回数が所定回数になったときの整理動作実行前の確認動作を設定するメニューを起動する。
【００２７】
３２８は、重要度が“重要度１“である画像に対しての送信回数が所定回数になったときの整理動作実行前の確認動作を設定するメニューを起動する。３２９は、重要度が“なし”ある画像に対しての送信回数が所定回数になったときの整理動作実行前の確認動作を設定するメニューを起動する。なお、ここで重要度は”重要度３など数字を用いて表現しているが、記号の数などを用いて表現しても良い。
【００２８】
図９は、図８で示した確認動作を設定するメニュー３２６、３２７、３２８或いは３２９を実行した際の表示部１０３を示す図である。
【００２９】
３１９は、確認動作設定メニューでメニュー名とともに、選択した重要度を表示しており、３３１残送信回数再設定及び３３２画像一覧表示及び３３３なにもしないがある。３３１は、残送信回数再設定であり、該当する重要度である画像の送信回数が所定回数になったときの整理動作実行前に、再度送信可能な回数を再設定するかどうかを確認表示することを設定する。３３２は、画像一覧表示であり、該当する重要度である画像の送信回数が所定回数になったときの整理動作実行前に、画像一覧を確認表示することを設定する。３３３は、何もしない設定であり、該当する重要度である画像の送信回数が所定回数になったときの整理動作実行前に、確認表示を何もしないことを設定する。
【００３０】
図１０は、画像処理装置１００の主動作を説明するフローチャートＭ１である。
【００３１】
電源スイッチ１０９を操作して電源を投入することにより、画像処理装置１００が起動する。画像処理装置１００を起動して、Ｍ１−１にてメニューが起動されたかどうかを判断する。
【００３２】
メニューが起動されていなければ、Ｍ１−６で電源スイッチ１０９を操作して電源ＯＦＦされたかを判断して、電源ＯＦＦされていれば終了する。一方、電源ＯＦＦされていなければ、Ｍ１−１に戻る。
【００３３】
これら画像処理装置１００が起動中に、Ｍ１操作部材１０５ｅが押されたことを判断すると、操作メニュー３１０を起動する。操作メニュー３１０で削除３１１が選択され、操作部材１０５ｆが操作された場合には、Ｍ１−２の削除を実行する。一方、操作メニュー３１０で送信メニュー３１２が選択され、操作部材１０５ｆが操作された場合には、Ｍ１−３の送信メニューＳ３を実行する。一方、操作メニュー３１０で重要度設定３１３が選択され、操作部材１０５ｆが操作された場合には、Ｍ１−４の重要度設定ルーチンＳ２を実行する。また、操作メニュー起動中に操作部材１０５ｅを操作することにより、Ｍ１−５で操作メニュー終了を判断して操作メニューを終了する。一方、操作メニューが終了でなければ、Ｍ１−１のメニュー起動直後に戻る。
【００３４】
図１１は、画像処理装置１００の重要度設定３１３の動作を説明するフローチャートＳ２である。
【００３５】
初めに、重要度設定３１３が起動されたときに表示している画像４０１からＳ２−１で重要度を抽出する。Ｓ２−１で抽出された重要度は、Ｓ２−２で重要度を表示する領域４０１に表示する。そして、Ｓ２−３で各操作部材からの操作を判断する。Ｓ２−３で操作が操作部材１０５ｃで行われた場合には、Ｓ２−４で重要度を表示する領域４０１に表示されている重要度４０５が重要度の上限値“重要度３”であるかを判断する。もし重要度を表示する領域４０１に表示されている重要度４０５が、重要度の上限値“重要度３”である場合にはなにもしないで、一方重要度の上限値“重要度３”でなければ、Ｓ２−５で重要度を表示する領域４０１に表示されている重要度を上げる。Ｓ２−３で操作が操作部材１０５ｄで行われた場合には、Ｓ２−６で重要度を表示する領域４０１に表示されている重要度が重要度の下限値“なし”であるかを判断する。もし重要度を表示する領域４０１に表示されている重要度が、重要度の下限値“なし”である場合にはなにもしないで、一方重要度の下限値“なし”でなければ、Ｓ２−７で重要度を表示する領域４０１に表示されている重要度を下げる。そして、Ｓ２−２に戻り重要度を表示する領域４０１に再度重要度を表示する。
【００３６】
一方、Ｓ２−３で操作が操作部材、１０５ａ、１０５ｂ、１０５ｅで行われた場合には、Ｓ２−８で表示している画像４０１の重要度の更新が必要かを判断する。もし重要度の更新が必要であれば、Ｓ２−９で重要度を更新して記録して、Ｓ２−１０で重要度から最大送信回数を算出する。一方、重要度の更新が必要でなければ何もしない。その後、Ｓ２−１０で、再度操を判断する。もし、操作が操作部材１０５ａ、１０５ｂで行われた場合、Ｓ２−１１で、表示画像を変更して、再度Ｓ２−１に戻るが、一方、操作が操作部材１０５ｅの場合は重要度設定３１３を終了する。
【００３７】
図１２は、画像処理装置１００の送信メニュー３１２の動作を説明するフローチャートＳ３である。
【００３８】
送信メニュー３１２には、画像選択送信３１６、全画像送信３１７、整理動作設定メニュー３１８及び確認動作設定メニュー３１９がある。画像選択送信３１６、全画像送信３１７、整理動作設定メニュー３１８、確認動作設定メニュー３１９が起動されると、Ｓ３−１で起動されたメニューを判別する。起動されたメニューが、選択送信３１６であれば、Ｓ３−４で送信する画像を選択したのち、Ｓ３−６で送信ルーチンＳ４を起動して、送信ルーチンＳ４の終了後には送信メニュー３１２のはじめに戻る。
【００３９】
起動されたメニューが、全画像送信３１７であればＳ３−５で全画像を選択したのち、Ｓ３−６で送信ルーチンＳ４を起動して、送信ルーチンＳ４の終了後には送信メニュー３１２のはじめに戻る。起動されたメニューが、整理動作設定メニュー３１８であれば、Ｓ３−２で整理動作設定メニュー３１８を起動して、整理動作設定メニュー３１８の終了後には送信メニュー３１２のはじめに戻る。また、起動されたメニューが、確認動作設定メニュー３１９であれば、Ｓ３−３で確認動作設定メニュー３１９を起動して、確認動作設定メニュー３１９の終了後には送信メニュー３１２のはじめに戻る。
【００４０】
図１３は、画像処理装置１００の送信ルーチンＳ４の動作を説明するフローチャートである。
【００４１】
送信ルーチンＳ４では、Ｓ４−１で送信画像一覧を作成する。そしてＳ４−２にて送信画像一覧に要送信画像が残っているかを判断する。要送信画像が残っていれば、Ｓ４−３で送信する画像を抽出する。次にＳ４−４で、その画像の付帯情報から過去に送信した回数を抽出する。その後に、Ｓ４−５で画像を送信するが、この時点で送信した画像は記録媒体１０７内に記録されたままである。そして、Ｓ４−６で画像の送信回数を更新して記録する。そして、Ｓ４−７でその送信が所定回数でないかを判定する。もし所定回目の送信であったならば、Ｓ４−８で整理動作画像一覧に追加する。そして、Ｓ４−９で送信画像一覧からその画像を削除する。そして、Ｓ４−２に戻り、要送信画像がなくなるまで続ける。Ｓ４−２で要送信画像が残っていなければ、整理動作画像一覧に記録された画像に対してＳ４−１０で送信後動作実行ルーチンＳ５を実行する。例えば、送信後動作の動作に削除が設定されていれば、送信後動作実行ルーチンＳ５では、送信された画像データに対して削除を実行する。
【００４２】
図１４は、画像処理装置１００の送信後動作実行ルーチンＳ５の動作を説明するフローチャートである。
【００４３】
初めに、Ｓ５−１で整理動作画像一覧を取得する。そして、画像の重要度ごとに整理動作を実行する。この実施形態では重要度が高い画像から整理動作を実行する。このために、Ｓ５−２で取得する画像を指定する重要度を、上限値“重要度３”に設定する。そして、Ｓ５−３で取得する画像を指定する重要度が下限値“なし”以上かを判断する。画像を指定する重要度が下限値“なし”以上であれば、Ｓ５−４で確認動作ルーチンＳ７を起動する。
【００４４】
例えば、確認動作に送信一覧表示が設定されていれば、確認動作ルーチンＳ７では、送信された画像データの一覧を確認表示する。一方、画像を指定する重要度が下限値“なし”より低ければ、送信後動作実行ルーチンＳ５を終了する。そして、Ｓ５−５で確認がＯＫであったかを判断する。判断がＯＫであれば、Ｓ５−６で整理動作実行ルーチンＳ６を起動する。例えば、整理動作に削除が設定されていれば、整理動作実行ルーチンＳ６では、送信された画像データに対して削除を実行する。もし、Ｓ５−５で確認動作ルーチンＳ７でＯＫ以外であったならば、なにもしない。そして、Ｓ５−７で画像を指定する重要度を下げて、Ｓ５−３に戻る。
【００４５】
図１５は、画像処理装置１００の確認動作実行ルーチンＳ６の動作を説明するフローチャートである。
【００４６】
Ｓ６−１で、確認動作設定を取得して、Ｓ６−２、Ｓ６−３、Ｓ６−４で確認動作設定を判断する。確認動作設定が“画像一覧表示”であれば、Ｓ６−４で画像一覧表示を起動する。また、確認動作設定が“残送信回数再設定”であれば、Ｓ６−５で残送信回数再設定を起動する。また、整理動作設定が“何もしない”であれば、何もしない。これら、Ｓ６−４或いはＳ６−５或いは何もしなかった結果をＯＫ或いはキャンセルとして返す。何もしない場合は、ＯＫを返す。もし、確認動作が何も設定されていない場合、エラーを返す。Ｓ６−４画像一覧表示、Ｓ６−５残送信回数再設定については後述する。
【００４７】
図１６を用いて画像処理装置１００の画像一覧表示の画面及び動作を説明する。
【００４８】
図１６は、画像処理装置１００の画像一覧表示を実行した際の表示部１０３を示す図である。
【００４９】
表示部１０３には、画像一覧表示のプロンプト表示部３４０及び画像一覧表示部３４１及びＯＫボタン３４２及びキャンセルボタン３４３を表示する。画像一覧表示のプロンプト表示部３４０には、画像一覧表示確認をうながす文言が表示され、この文言中に整理動作設定メニュー３１８で設定された動作の名称を含むようにする。３４１は、画像一覧表示部で整理動作設定メニュー３１８で設定された動作の対象となる画像ファイル名を一覧する。３４２は、ＯＫボタンであり、画像一覧表示部３４１に表示された画像データに対して、整理動作設定メニュー３１８で設定された動作を実行することを決定するボタンである。３４３は、キャンセルボタンであり、画像一覧表示部３４１に表示された画像データに対して、整理動作設定メニュー３１８で設定された動作をキャンセルすることを決定するボタンである。このようにして、画像一覧表示を実行することが可能となる。
【００５０】
図１７、図１８及び図１９を用いて画像処理装置１００の残送信回数再設定の画面及び動作を説明する。
【００５１】
図１７は画像処理装置１００の残送信回数再設定の画面を示す図である。
【００５２】
表示部１０３には、残送信回数再設定のプロンプト表示部３５０及び画像一覧表示部３５１及びＯＫボタン３５２及び送信回数設定ボタン３５３及びキャンセルボタン３５４を表示する。
【００５３】
残送信回数再設定のプロンプト表示部３５０には、残送信回数再設定をうながす文言が表示され、この文言中に整理動作設定メニュー３１８で設定された動作の名称を含むようにする。３５１は、画像一覧表示部で整理動作設定メニュー３１８で設定された動作の対象となる画像ファイル名を一覧する。３５２は、ＯＫボタンであり、画像一覧表示部３５１に表示された画像データに対して、整理動作設定メニュー３１８で設定された動作を実行することを決定するボタンである。
【００５４】
３５３は、送信回数設定ボタンであり、画像一覧表示部３５１に表示された画像データに対して、残送信回数を設定することを決定するボタンである。送信回数設定３５３で、残送信回数が再設定された画像は、画像一覧表示部３５１から表示が削除するとともに、所定動作画像一覧からも削除する。３５４は、キャンセルボタンであり、画像一覧表示部３５１に表示された画像データに対して、整理動作設定メニュー３１８で設定された動作をキャンセルすることを決定するボタンである。
【００５５】
図１８は、画像処理装置１００の送信回数設定３５３の画面を説明する図である。
【００５６】
表示部１０３には、記録媒体１０７に記録された任意の画像４１１を全体に表示する。また、左上に送信回数を表示する領域４１２及び現在の送信回数４１５及び操作補助のための表示４１３、４１４を表示して、右上に重要度を表示する領域４１６及び重要度４１７を表示する。画像４１１は、記録媒体１０７に記録された任意の画像である。この画像は、操作部材１０５ａ或いは１０５ｂを操作することにより変更が可能である。
【００５７】
４１２は、画像４１１に設定されている送信回数を表示する領域である。４０３及び４０４は、送信回数を設定の操作補助を表示する表示部材である。４１３は、操作部材１０５ｄを操作することで、送信回数を下げられることを示している。４１４は、操作部材１０５ｃを操作することで、送信回数を上げられることを示している。４１５は、画像４１１の現在の送信回数であり、重要度の下限値“なし”から重要度の上限値“重要度３”に応じて、０回から３回まで設定できる。ここで設定された送信回数は、操作部材１０５ａ或いは１０５ｂを操作されることにより、画像４１１の変更が発生する及び操作部材１０５ｅで操作モードを変更されるときに画像に付加される。
【００５８】
図１９は、送信回数設定ルーチンＳ８の動作を説明するフローチャートである。
【００５９】
初めに、送信回数設定ルーチンＳ８が起動されたときに表示している画像４１１に付帯されたＳ８−１で送信回数及び重要度を抽出する。Ｓ８−１で抽出された重要度は、Ｓ８−２で重要度を表示する領域４１７に表示して、Ｓ８−１で抽出された送信回数は、Ｓ８−２で送信回数を表示する領域４１５に表示する。そして、Ｓ８−３で各操作部材からの操作を判断する。
【００６０】
Ｓ８−３で操作が操作部材１０５ｃで行われた場合には、Ｓ８−４で現在の送信回数４１５に表示されている送信回数が重要度の上限値“重要度３”あるかを判断する。もし現在の送信回数４１５に表示されている送信回数が重要度の上限値“重要度３”である場合にはなにもしないで、一方重要度の上限値“重要度３”でなければ、Ｓ８−５で現在の送信回数４１５に表示されている送信回数を上げる。Ｓ８−３で操作が操作部材１０５ｄで行われた場合には、Ｓ８−６で現在の送信回数４１５に表示されている送信回数が重要度の下限値“なし”であるかを判断する。もし現在の送信回数４１５に表示されている送信回数が重要度の下限値“なし”である場合にはなにもしないで、一方重要度の下限値“なし”でなければ、Ｓ８−７で現在の送信回数４１５に表示されている送信回数を下げる。そして、Ｓ８−２に戻り送信回数を表示する領域４０１に再度送信回数を表示する。
【００６１】
なお、ここで送信回数は”２回“など数字を用いて表現しているが、記号の数やバーグラフなどの図式的な形式を用いて表現しても良い。
【００６２】
一方、Ｓ８−３で操作が操作部材、１０５ａ、１０５ｂ、１０５ｅで行われた場合には、Ｓ８−８で表示している画像４１１の送信回数の更新が必要かを判断する。もし送信回数の更新が必要であれば、Ｓ８−９で送信回数を更新して記録して、一方送信回数の更新が必要でなければ何もしない。その後、Ｓ８−１０で、再度操作部材を判断する。もし、操作が操作部材１０５ａ、１０５ｂで行われた場合、Ｓ８−１１で、表示画像を変更して、再度Ｓ８−１に戻るが、一方、操作が操作部材１０５ｅの場合は送信回数設定ルーチンＳ８を終了する。このようにして、送信回数設定を実行することが可能となる。
【００６３】
図２０は、整理動作の動作を説明するフローチャートである。
【００６４】
Ｓ７−１で、整理動作設定を取得して、Ｓ７−２、Ｓ７−３、Ｓ７−４で整理動作設定を判断する。
【００６５】
整理動作設定が“削除”であれば、Ｓ７−４で削除を起動する。また、整理動作設定が“残送信回数再設定”であれば、Ｓ６−５で残送信回数再設定を起動する。また、整理動作設定が“何もしない”であれば、何もしない。これら、Ｓ６−４或いはＳ６−５或いは何もしなかった結果をＯＫ或いはキャンセルとして返す。何もしない場合は、ＯＫを返す。もし、確認動作が何も設定されていない場合、エラーを返す。このようにして、整理動作を設定どおりに実行することが可能となる。
【００６６】
以上のように、本発明を電子カメラに適用した実施形態においては、画像データを設定された送信後の整理動作を、ある画像データの所定回数目の送信後に実行することにより、記録媒体１０７内を自動的に整理することが出来る。
【００６７】
また、送信後の整理動作が実行される所定回数が、重要度と関連付けられていることにより、記録媒体１０７内から重要度の低い順に整理動作が実行されるため、記録媒体１０７内で重要度の高い画像データを管理することが容易に可能となる。
【００６８】
さらには、整理動作に削除などの記録済容量を減少させる動作を設定することにより、自動的に撮影可能枚数や記録容量を増加させることが可能となる。
【００６９】
一方で、送信後の整理動作を実行する前の確認動作を重要度ごとに設定できるため、重要度の低い画像データを整理する際と、重要度の高い画像データを整理する際の確認動作に差異をつけることが可能となり、確認の手間を軽減することが可能となる。
【図面の簡単な説明】
【００７０】
【図１】本発明を適用した画像処理装置の構成を示すブロック図である。
【図２】本発明を適用した画像処理装置を利用した画像データの送受信システムのブロック図である。
【図３】図１で示した画像処理装置１００の外観の一部及び操作部１０５の一部及び表示部１０３の一部を示したブロック図である。
【図４】図３で示した表示部１０３に操作メニューを表示する実施形態を示す図である。
【図５】図４で示した重要度設定３１３を実行した際の表示部１０３を示す図である。
【図６】図４で示した送信メニュー３１２を実行した際の表示部１０３を示す図である。
【図７】図６で示した整理動作設定メニュー３１８を実行した際の表示部１０３を示す図である。
【図８】図６で示した確認動作設定メニュー３１９を実行した際の表示部１０３を示す図である。
【図９】図８で示した確認動作を設定するメニュー３２６を実行した際の表示部１０３を示す図である。
【図１０】画像処理装置１００の主動作を説明するフローチャートである。
【図１１】画像処理装置１００の重要度設定３１３の動作を説明するフローチャートＳ２である。
【図１２】画像処理装置１００の送信メニュー３１２の動作を説明するフローチャートＳ３である。
【図１３】画像処理装置１００の送信ルーチンＳ４の動作を説明するフローチャートである。
【図１４】画像処理装置１００の送信後動作実行ルーチンＳ５の動作を説明するフローチャートである。
【図１５】画像処理装置１００の確認動作実行ルーチンＳ６の動作を説明するフローチャートである。
【図１６】画像処理装置１００の画像一覧表示を実行した際の表示部１０３を示す図である。
【図１７】画像処理装置１００の残送信回数再設定の画面を示す図である。
【図１８】画像処理装置１００の送信回数設定３５３の画面を説明する図である。
【図１９】送信回数設定ルーチンＳ８の動作を説明するフローチャートである。
【図２０】整理動作ルーチンＳ７の動作を説明するフローチャートである。
【符号の説明】
【００７１】
１００  画像処理装置
１０１  撮像回路
１０２  制御回路
１０３  表示部
１０４  通信Ｉ／Ｆ
１０５  操作部
１０６  記録Ｉ／Ｆ
１０７  記録媒体
１０８  メモリ
１０９  電源スイッチ
１０５ａ  操作部材
１０５ｂ  操作部材
１０５ｃ  操作部材
１０５ｄ  操作部材
１０５ｅ  操作部材
１０５ｆ  操作部材
１０５ｇ  操作部材
【図１】
2009141735.tif 000003
【図２】
2009141735.tif 000004
【図３】
2009141735.tif 000005
【図４】
2009141735.tif 000006
【図５】
2009141735.tif 000007
【図６】
2009141735.tif 000008
【図７】
2009141735.tif 000009
【図８】
2009141735.tif 000010
【図９】
2009141735.tif 000011
【図１０】
2009141735.tif 000012
【図１１】
2009141735.tif 000013
【図１２】
2009141735.tif 000014
【図１３】
2009141735.tif 000015
【図１４】
2009141735.tif 000016
【図１５】
2009141735.tif 000017
【図１６】
2009141735.tif 000018
【図１７】
2009141735.tif 000019
【図１８】
2009141735.tif 000020
【図１９】
2009141735.tif 000021
【図２０】
2009141735.tif 000022